(57)【要約】  本願にかかる発明は、殺菌洗浄されるスピットン部及びこれを利用した歯科用ユニットチェアを提供する。  歯科用ユニットチェアに使用されるスピットン部は、本体と、本体の上部に位置するスピットンと、前記スピットンを覆うことができるスピットンの蓋と、前記スピットンの蓋を移動させることができる移動ユニットとを含み、前記移動ユニットは、前記スピットンの蓋が前記スピットンを覆うように移動されるか、または前記スピットンを覆わないで開放させるように移動されることを特徴とする。
2017522093.tif 000002
【特許請求の範囲】
【請求項１】
歯科用ユニットチェアに使用されるスピットン部であって、
本体と、
本体の上部に位置するスピットンと、
前記スピットンを覆うことができるスピットンの蓋と、
前記スピットンの蓋を移動させることができる移動ユニットとを含み、
前記移動ユニットは、前記スピットンの蓋が前記スピットンを覆うように移動させるか、または前記スピットンを覆わないで開放されるように移動させることを特徴とする歯科用ユニットチェアに使用されるスピットン部。
【請求項２】
前記移動ユニットは、
前記本体に位置するヒンジを含み、
前記スピットンの蓋は、前記ヒンジと連結され、前記スピットンの蓋が前記ヒンジを軸にして回転することによって、前記スピットンを覆うか、または前記スピットンを覆わないことを特徴とする、請求項１に記載の歯科用ユニットチェアに使用されるスピットン部。
【請求項３】
前記移動ユニットは、
第１構造体（４６）と、
前記第１構造体（４６）に移動可能に結合されたガイドバーとを含み、
前記ガイドバーは、前記スピットンの蓋と直接連結または他の構造体を介して連結されることを特徴とする、請求項１に記載の歯科用ユニットチェアに使用されるスピットン部。
【請求項４】
前記移動ユニットは、駆動部をさらに含み、
前記スピットンの蓋は、前記駆動部により移動することを特徴とする、請求項３に記載の歯科用ユニットチェアに使用されるスピットン部。
【請求項５】
前記移動ユニットは、
前記本体に結合された第２構造体（Ｐ４）をさらに含み、
前記第２構造体（Ｐ４）に前記第１構造体（４６）が結合されていることを特徴とする、請求項３に記載の歯科用ユニットチェアに使用されるスピットン部。
【請求項６】
前記移動ユニットは、前記ガイドバーと連結した第３構造体（Ｐ２）をさらに含み、
前記第３構造体（Ｐ２）は、前記スピットンの蓋（４１）と直接または他の構造体を介して連結されたことを特徴とする、請求項５に記載の歯科用ユニットチェアに使用されるスピットン部。
【請求項７】
前記スピットン部は、殺菌モジュールをさらに含み、
前記殺菌モジュールは、前記スピットンの蓋（４１）が前記スピットンを覆う時に前記スピットンの殺菌及び／又は洗浄して、前記スピットンの蓋（４１）が前記スピットンを覆わない時には、前記スピットンの殺菌及び／又は洗浄しないことを特徴とする、請求項１ないし６に記載の歯科用ユニットチェアに使用されるスピットン部。
【請求項８】
前記殺菌モジュールは、前記本体に位置されているか、または
前記殺菌モジュールは、前記スピットンの蓋（４１）の内部に位置されて、前記スピットンの蓋（４１）が移動すると、共に移動することを特徴とする、請求項７に記載の歯科用ユニットチェアに使用されるスピットン部。
【請求項９】
前記殺菌モジュールは、
スチームを利用した殺菌及び洗浄装置、温水を利用した殺菌及び洗浄装置、消毒剤を利用した殺菌及び洗浄装置、又は紫外線を利用した殺菌装置のうちいずれか一つであるか、これらの装置のうち、二つ以上の組み合わせから構成されたことを特徴とする、請求項７に記載の歯科用ユニットチェア。
【請求項１０】
歯科用ユニットチェアであって、歯科用ユニットチェアに使用されるスピットン部を含み、
前記歯科用ユニットチェアに使用されるスピットン部は、
本体と、本体の上部に位置するスピットンと、前記スピットンを覆うことができるスピットンの蓋と、前記スピットンの蓋を移動させることができる移動ユニットとを含み、
前記移動ユニットは、
前記スピットンの蓋が前記スピットンを覆うように移動させるか、または前記スピットンを覆わないで開放されるように移動させることを特徴とする歯科用ユニットチェア。
【請求項１１】
前記移動ユニットは、前記本体に位置するヒンジを含み、
前記スピットンの蓋は、
前記ヒンジと連結され、前記スピットンの蓋が前記ヒンジを軸にして回転することによって、前記スピットンを覆うか、または前記スピットンを覆わないことを特徴とする、請求項１０に記載の歯科用ユニットチェア。
【請求項１２】
前記移動ユニットは、第１構造体（４６）と、前記第１構造体（４６）に移動可能に結合されたガイドバーとを含み、
前記第１構造体（４６）は、前記スピットンの蓋と直接連結または他の構造体を介して連結されたことを特徴とする、請求項１０に記載の歯科用ユニットチェア。
【請求項１３】
前記移動ユニットは、駆動部をさらに含み、
前記スピットンの蓋は、前記駆動部により移動されることを特徴とする、請求項１２に記載の歯科用ユニットチェア。
【請求項１４】
コントローラをさらに含み、
前記コントローラは、ユーザから命令を受け取ることができる入力部を具備し、
前記入力部を介してユーザからの、前記スピットンの蓋を覆う命令又は覆わない命令を受けると、前記コントローラは、前記モータを制御して前記スピットンの蓋を動かせることを特徴とする、請求項１３に記載の歯科用ユニットチェア。
【請求項１５】
前記移動ユニットは、
前記本体に結合された第２構造体（Ｐ４）をさらに含み、
前記第２支持体（Ｐ４）に前記第１構造体（４６）が結合されていることを特徴とする、請求項１２に記載の歯科用ユニットチェア。
【請求項１６】
前記移動ユニットは、前記ガイドバーと連結した第３構造体（Ｐ２）をさらに含み、
前記第３構造体（Ｐ２）は、前記スピットンの蓋（４１）と連結されたことを特徴とする、請求項１５に記載の歯科用ユニットチェア。
【請求項１７】
前記スピットン部は、殺菌モジュールをさらに含み、
前記殺菌モジュールは、前記スピットンの蓋（４１）が前記スピットンを覆う時に前記スピットンの殺菌及び／又は洗浄をして、
前記スピットンの蓋（４１）が前記スピットンを覆わない時には、前記スピットンの殺菌及び／又は洗浄しないを特徴とする、請求項１０ないし１６に記載の歯科用ユニットチェア。
【請求項１８】
前記殺菌モジュールは、前記本体に位置し、
または、前記殺菌モジュールは、前記スピットンの蓋（４１）の内部に位置して、前記スピットンの蓋（４１）が移動すると、共に移動することを特徴とする、
請求項１７に記載の歯科用ユニットチェア。
【請求項１９】
前記殺菌モジュールは、スチームを利用した殺菌及び洗浄装置、温水を利用した殺菌及び洗浄装置、消毒剤を利用した殺菌及び洗浄装置、又は紫外線を利用した殺菌装置のうちいずれか一つであるか、これらの装置のうち二つ以上の組み合わせから構成されたことを特徴とする、請求項１７に記載の歯科用ユニットチェア。
【発明の詳細な説明】
【技術分野】
【０００１】
本発明は、殺菌洗浄されるスピットン部（Ｓｐｉｔｔｏｏｎ  ｕｎｉｔ）及びこれを利用した歯科用ユニットチェアに関する。
【背景技術】
【０００２】
ユニットチェアは、歯牙をスケーリング、抜歯、削除するための診療と治療が可能なように施設された椅子であって、一般に、ハンドピース、ブラケットテーブル、ライト、モニターなどをセットとして具備する。
【０００３】
図１は、従来の歯科用ユニットチェアを説明するための図である。
【０００４】
図１に示すように、歯科用ユニットチェア１００は、ユニットチェア本体１１０、チェア部３００、診療用ブラケット２００、スピットン部１１１、照明器具１１７、ディスプレイ１８０、受け台１３０及び自動麻酔装置４００を備える。ここで、チェア部３００は、患者が座って又は横になって診療を受ける椅子であり、このとき、チェア部３００は、ベース部３１５により地面に支持されている。ユニットチェア本体１１０は、多数のフレーム１２０を利用して各種の装置と連結されて、各種の装置を固定する機能を行う。
【０００５】
照明器具１１７は、ユニットチェア本体１１０とフレーム１２０に連結されて、診療時に患者の患部を明るく照らすようになっている。
【０００６】
ディスプレイ１８０は、フレーム１２０によりユニットチェア本体１１０に固設され、診療時に医師と患者に提供される多様な情報を表示する。
【０００７】
診療用ブラケット２００は、ユニットチェア本体１１０とフレーム１２０に連結され、上面には、歯科診療用装置を操作する操作パネル１２１が備えられることが好ましく、マウスなど診療に必要な多様な物を置くことができる。
【０００８】
一方、スピットン部１１１は、スピットン（Ｓｐｉｔｔｏｏｎ）を具備して患者が診療を完了した後、または診療中に口に溜めていた唾液または異質物を吐くことができるようにユニットチェア本体１１０上に設置されるが、このようなスピットン部１１１は、血液をはじめとして唾液、治療に使用される薬品または物質などを、吐き出して口すすぎをする用途として使用されるので、随時洗浄しないと、不潔になりやすく、患者に激しい不快感を引き起こすおそれがある。
【０００９】
一方、スピットン部を清潔に維持するための技術として、下記の特許文献１には、分離して洗浄できるユニットチェア用スピットン部に対して開示されている。この特許文献１に開示されたように、スピットン部を分離して洗浄すれば清潔に管理できるが、治療が終わるごとにスピットン部を分離して洗浄しなければならないという面倒さが存在する。
【先行技術文献】
【特許文献】
【００１０】
【特許文献１】韓国登録特許第０３７６４００号公報（２００５．０２．０７）
【発明の概要】
【発明が解決しようとする課題】
【００１１】
本発明の一実施の形態によれば、衛生的であり、殺菌及び洗浄が容易なスピットン部及びこれを利用した歯科用ユニットチェアが提供できる。
【００１２】
本発明の他の実施の形態によれば、衛生的であり、自動的に殺菌及び洗浄できるスピットン部及びこれを利用した歯科用ユニットチェアが提供できる。
【課題を解決するための手段】
【００１３】
本発明の一実施の形態によれば、スピットン部において、本体と、本体の上部に位置するスピットンと、前記スピットンを覆うことができるスピットンの蓋と、前記スピットンの蓋を移動させることができる移動ユニットとを含み、前記移動ユニットは、前記スピットンの蓋が前記スピットンを覆うように移動させて、または前記スピットンを覆わないで開放されるように移動させることを特徴とする歯科用ユニットチェアに使用されるスピットン部が提供される。
【００１４】
本発明の他の実施の形態によれば、歯科用ユニットチェアであって、歯科用ユニットチェアに使用されるスピットン部を含み、前記歯科用ユニットチェアに使用されるスピットン部は、本体と、本体の上部に位置するスピットンと、前記スピットンを覆うことができるスピットンの蓋と、前記スピットンの蓋を移動させることができる移動ユニットとを含み、前記移動ユニットは、前記スピットンの蓋が前記スピットンを覆うように移動させるか、または前記スピットンを覆わないで開放されるように移動させることを特徴とする歯科用ユニットチェアが提供される。
【発明の効果】
【００１５】
本発明の一実施の形態によれば、自動又は手動で、便利にスピットン部の殺菌及び／又は洗浄できる。患者が使用しないときには、スピットン部の蓋を閉めて洗浄することによって、常にスピットン部を清潔に維持管理できる。
【図面の簡単な説明】
【００１６】
【図１】従来の歯科用ユニットチェアを説明するための図である。
【図２】本発明の一実施の形態にかかる歯科用ユニットチェアに使用されるスピットン部を説明するための図である。
【図３】本発明の他の実施の形態にかかる歯科用ユニットチェアに使用されるスピットン部を説明するための図である。
【図４】本発明の他の実施の形態にかかる歯科用ユニットチェアに使用されるスピットン部を説明するための図である。
【図５】本発明の他の実施の形態にかかる歯科用ユニットチェアに使用されるスピットン部を説明するための図である。
【図６】本発明の他の実施の形態にかかる歯科用ユニットチェアに使用されるスピットン部を説明するための図である。
【図７】本発明の他の実施の形態にかかる歯科用ユニットチェアに使用されるスピットン部を説明するための図である。
【図８】本発明の他の実施の形態にかかる歯科用ユニットチェアに使用されるスピットン部を説明するための図である。
【図９】本発明の他の実施の形態にかかる歯科用ユニットチェアに使用されるスピットン部を説明するための図である。
【図１０】本発明の他の実施の形態にかかる歯科用ユニットチェアに使用されるスピットン部を説明するための図である。
【図１１】本発明の他の実施の形態にかかる歯科用ユニットチェアに使用されるスピットン部を説明するための図である。
【図１２】本発明の他の実施の形態にかかる歯科用ユニットチェアに使用されるスピットン部を説明するための図である。
【図１３】本発明の他の実施の形態にかかる歯科用ユニットチェアに使用されるスピットン部を説明するための図である。
【図１４】本発明の他の実施の形態にかかる歯科用ユニットチェアに使用されるスピットン部を説明するための図である。
【図１５】本発明の他の実施の形態にかかる歯科用ユニットチェアに使用されるスピットン部を説明するための図である。
【図１６】本発明の他の実施の形態にかかる歯科用ユニットチェアに使用されるスピットン部を説明するための図である。
【図１７】本発明の他の実施の形態にかかる歯科用ユニットチェアに使用されるスピットン部を説明するための図である。
【図１８】本発明の他の実施の形態にかかる歯科用ユニットチェアに使用されるスピットン部を説明するための図である。
【図１９】本発明の他の実施の形態にかかる歯科用ユニットチェアに使用されるスピットン部を説明するための図である。
【図２０】本発明の他の実施の形態にかかる歯科用ユニットチェアに使用されるスピットン部を説明するための図である。
【図２１】本発明の他の実施の形態にかかる歯科用ユニットチェアに使用されるスピットン部を説明するための図である。
【図２２】本発明の他の実施の形態にかかる歯科用ユニットチェアに使用されるスピットン部を説明するための図である。
【図２３】本発明の他の実施の形態にかかる歯科用ユニットチェアに使用されるスピットン部を説明するための図である。
【図２４】本発明の他の実施の形態にかかる歯科用ユニットチェアに使用されるスピットン部を説明するための図である。
【図２５】本発明の他の実施の形態にかかる歯科用ユニットチェアに使用されるスピットン部を説明するための図である。
【図２６】本発明の他の実施の形態にかかる歯科用ユニットチェアに使用されるスピットン部を説明するための図である。
【図２７】本発明の他の実施の形態にかかる歯科用ユニットチェアに使用されるスピットン部を殺菌するための移動型殺菌装置を説明するための図である。
【図２８】本発明の他の実施の形態にかかる歯科用ユニットチェアに使用されるスピットン部を殺菌するための移動型殺菌装置を説明するための図である。
【図２９】本発明の他の実施の形態にかかる歯科用ユニットチェアに使用されるスピットン部を説明するための図である。
【符号の説明】
【００１７】
１、２１、３１、４１、５１、６１：スピットンの蓋
２：排出管
３：水排出口
４、１４、２４、３４、５４、６４：本体
５：コップ
６：第１構造体
７、１７、２７、３７、４７、５７：スピットン
８：ガイドバー
９：コントローラ
【発明を実施するための形態】
【００１８】
以上の本発明の目的、他の目的、特徴及び利点は、添付された図面と関連した以下の好ましい実施の形態により容易に理解されるはずである。しかしながら、本発明は、ここで説明される実施の形態に限定されずに他の形態により具体化されうる。むしろ、ここで紹介される実施の形態は、開示された内容が徹底かつ完全になるように、そして当業者に、本発明の思想を十分に伝達させるために提供されるものである。
【００１９】
本明細書において、ある構成要素が他の構成要素上にあると言及される場合には、それは、他の構成要素上に直接形成されることができるか、またはそれらの間に第３の構成要素が介在される場合もあることを意味する。また、図面において、構成要素の厚さは、技術的内容の効果的な説明のために誇張されたものである。
【００２０】
本明細書において述べる実施の形態は、本発明の理想的な例示図である断面図及び／または平面図を参考にして説明する。図面において、膜及び領域の厚さは、技術的内容の効果的な説明のために誇張されたものである。したがって、製造技術及び／または許容誤差などにより例示図の形態が変形されることができる。よって、本発明の実施の形態は、図示の特定の形態に制限されるものではなく、製造工程によって生成される形態の変化も含む。例えば、直角で示したエッチング領域は、ラウンド状になるか、または所定曲率を有する形態でありうる。したがって、図面で示した領域は、属性を有し、図面で示された領域の模様は、素子の領域の特定形態を示すためのものであり、発明の範ちゅうを制限するためのものではない。本明細書の多様な実施の形態において、第１、第２などの用語が多様な構成要素を述べるために使用されたが、これらの構成要素がこのような用語によって限定されてはならない。これらの用語は、但しある構成要素を他の構成要素と区別させるために使用されるだけである。ここに説明され例示される実施の形態は、それの相補的な実施の形態も含む。
【００２１】
本明細書において使用された用語は、実施の形態を説明するためのものであり、本発明を制限するためのものではない。本明細書において、単数形は、文句において特に言及しない限り、複数形も含む。明細書で使用される「含む（ｃｏｍｐｒｉｓｅｓ）」及び／又は「含む（ｃｏｍｐｒｉｓｉｎｇ）」と言及された構成要素は、一つ以上の他の構成要素の存在又は追加を排除しない。
【００２２】
以下、図面を参照して本発明を詳細に説明する。以下の特定実施の形態を述べるにおいて、様々な特定の内容は、発明をさらに具体的に説明し理解に役立つために作成された。しかしながら、本発明を理解することができる程度のこの分野における知識を有した読者は、このような様々な特定の内容がなくても使用されうることを認知できる。ある場合には、発明を述べるにおいて周知で発明と大きく関連のない部分は、本発明を説明するにおいて混乱を引き起こすことを防止するために述べないことを予め言及しておく。
【００２３】
図２は、本発明の一実施の形態にかかる歯科用ユニットチェアに使用されるスピットン部を説明するための図である。
【００２４】
図２の（ａ）は、本発明の一実施の形態にかかる歯科用ユニットチェアに使用されるスピットン部において、スピットンの蓋１がスピットン７を覆った状態を上部から見たものであり、図２の（ｂ）は図２の（ａ）の状態を側面から見たものであり、図２の（ｃ）は、本発明の一実施の形態にかかる歯科用ユニットチェアに使用されるスピットン部においてスピットンの蓋１がスピットン７を覆わないように、つまりスピットン７が開放されるように移動した状態を上部から見たものであり、図２の（ｄ）は、図２の（ｃ）の状態を側面から見たものである。
【００２５】
これらの図面を参照すると、本発明の一実施の形態にかかる歯科用ユニットチェアに使用されるスピットン部は、本体４、本体４の上部に位置するスピットン７、スピットン７を覆うことができるスピットンの蓋１、及びスピットンの蓋１を移動させることができる移動ユニットを含む。
【００２６】
一実施の形態によれば、移動ユニットは、スピットンの蓋１がスピットン７を覆うように移動させるか、またはスピットン７を覆わないように、つまりスピットン７が開放されるように移動させることができる。
【００２７】
一実施の形態によれば、移動ユニットは、ユーザにより手動でスピットンの蓋１を移動させることができるように構成されるか、またはモータのような駆動手段によってスピットンの蓋１を移動させることができるように構成される。図２に例示的に示す実施の形態は、ユーザが手動でスピットンの蓋１を移動させることができる構成である。
【００２８】
一実施の形態によれば、移動ユニットは、本体に位置する第１構造体６、及び第１構造体６に移動可能に結合されたガイドバー８を含める。ここで、第１構造体６は、例えばスピットンの蓋１と直接連結または他の構造体を介して連結される。
【００２９】
本発明の一実施の形態にかかる歯科用ユニットチェアに使用されるスピットン部は、例えば、スピットン７に含まれた血液をはじめとして、唾液、治療に使用される薬品または物質などを排出するための排出管２と、口内をすすぐための水（または洗浄液）を流出する水排出口３と、ユーザの命令を受け取る入力部（図示せず）とを有し、入力部を介して入力されたユーザの命令に応じて、スピットン部の動作を制御するためのコントローラ９をさらに含める。
【００３０】
図２の実施の形態において、図示していない構成要素及び説明しない構成要素は、本願発明の要旨を不明にする恐れがあるから説明していないことを本願発明が属する技術分野に属する者であれば、容易に理解できるだろう。コントローラ９は、例えば、そういう構成要素を制御するために使用されることができる。一方、本体４の内部にも電子的及び機械的装置が内蔵されているが、これらの構成要素もやはり、本願発明の要旨を不明にする恐れがあるから説明していないことを本願発明が属する技術分野に属する者であれば、容易に理解できるだろう。一方、本願の他の図面においても、別の言及がなくても、図示しない構成要素及び説明していない構成要素は、本願発明の要旨を不明にする恐れがあるから説明していないことを本願発明が属する技術分野における者であれば、容易に理解できるだろう。
【００３１】
図２の（ａ）と（ｂ）を参照すると、本願発明の一実施の形態にかかるスピットンの蓋１は、移動ユニットにより移動できる。ユーザがスピットンの蓋１をガイドバー８に平行な方向に手で握って押すか、または引くことによって、スピットンの蓋１は、スピットン７を覆うことができる。本実施の形態において、スピットンの蓋１は、第１構造体６（ガイドバー８により貫通してガイドバー８に沿って動くことができる構成要素）と直接または間接的に連結されている。第１構造体６は、例えばリングのような形状を有するか、またはねじ山のないナットのような形状を有することができ、第１構造体６が上記のような形状を有する場合、ガイドバー８は、第１構造体６を貫通する方法で第１構造体６と結合されることができる。第１構造体６とガイドバー８は、相対的に動くことができるように結合され、本実施の形態のようにガイドバー８が本体４に固定結合された場合には、第１構造体６がガイドバー８に沿って動く。
【００３２】
図２の図面を参照すると、スピットンの蓋１を動かすと、第１構造体６がガイドバー８に沿って動く。
【００３３】
図２の（ａ）と（ｂ）は、患者がスピットン部を使用しない場合を例示的に示した図である。すなわち、患者がスピットン部を使用しない場合には、スピットン７をスピットンの蓋１が覆った状態に維持することができる。
【００３４】
図２の（ｃ）と（ｄ）は、患者がスピットン部を使用する場合を例示的に示した図である。すなわち、患者がスピットン部を使用する場合には、スピットン７をスピットンの蓋１が覆わない状態に維持することができる。
【００３５】
以上の図２を参照して説明した移動ユニットの構成は、例示に過ぎず、これと異なる方法により、スピットンの蓋１がスピットン７を覆うか、またはスピットン７を覆わないで開放させることができる。
【００３６】
図３は、本発明の他の実施の形態にかかる歯科用ユニットチェアに使用されるスピットン部を説明するための図である。
【００３７】
図３を参照すると、本発明の他の実施の形態にかかる移動ユニットが装着されたスピットン部を例示的に示されている。
【００３８】
図３を参照すると、本発明の一実施の形態にかかる歯科用ユニットチェアに使用されるスピットン部は、本体１４、本体１４の上部に位置するスピットン１７、スピットンを覆うことができるスピットンの蓋１１、及びスピットンの蓋１１を移動させることができる移動ユニットを含む。本実施の形態にかかるスピットン部は、また水（または洗浄部）を排出できる水排出口１３をさらに含む。
【００３９】
図３の実施の形態において、移動ユニットは、本体に位置するヒンジＣを含む構成を有し、スピットンの蓋１１は、ヒンジＣにより本体１４と結合されて、ヒンジＣを軸にして回転可能になる。
【００４０】
図３に示すように、スピットンの蓋１１が半時計方向に所定角度回転されると、スピットンの蓋１１を覆うようになる。本実施の形態において半時計方向は、例示的なものであって、他の方向（例えば、時計方向）にスピットンの蓋１１が回転するように構成されることも可能である。
【００４１】
図３の実施の形態において、スピットンの蓋１１は、ユーザの手で直接回転させることができ、又は駆動装置を利用してスピットンの蓋１１を駆動させて移動させることも可能である。
【００４２】
以上、図３において説明しない構成要素は、図２において類似の図面番号が付与された構成要素についての説明を参照してほしい。
【００４３】
図４は、本発明の他の実施の形態にかかる歯科用ユニットチェアに使用されるスピットン部を説明するための図である。
【００４４】
図４の（ａ）は、本発明の一実施の形態にかかる歯科用ユニットチェアに使用されるスピットン部においてスピットンの蓋２１がスピットン２７を覆った状態を上部から見た図であり、図４の（ｂ）は、図４の（ａ）の状態を側面から見た図であり、図４の（ｃ）は、本発明の一実施の形態にかかる歯科用ユニットチェアに使用されるスピットン部においてスピットンの蓋２１がスピットン２７を覆わないで開放されるように移動された状態を上部から見た図であり、図４の（ｄ）は、図４の（ｃ）の状態を側面から見た図である。
【００４５】
本発明の一実施の形態にかかる歯科用ユニットチェアに使用されるスピットン部は、本体２４、本体２４の上部に位置するスピットン、スピットンを覆うことができるスピットンの蓋２１、スピットンの蓋２１を移動させることができる移動ユニット、及びコントローラ２９を含む。
【００４６】
一実施の形態によれば、移動ユニットは、スピットンの蓋２１がスピットン２７を覆うように移動させるか、またはスピットン２７を覆わないで、開放されるように移動させることができる。
【００４７】
一実施の形態によれば、移動ユニットは、本体２４に位置する第１構造体２６、第１構造体２６に移動可能に結合されたガイドバー、及び駆動部Ｍ２を備えることができる。ここで、第１構造体２６は、例えばスピットンの蓋２１と直接連結または他の構造体を介して連結されることができる。
【００４８】
例えば、駆動部Ｍ２は、モータのような装置を含むことができ、スピットンの蓋２１と機械的及び／又は電子的に連結されて、スピットンの蓋２１を移動させることができる。駆動部Ｍ２が動作すると、スピットンの蓋２１は、ガイドバー２８に沿って動けるようになる。
【００４９】
例えば、コントローラ２９は、図示していないが、ユーザから命令を受け取ることができる入力部を具備できる。
【００５０】
例えば、コントローラ２９は、前記入力部を介して、スピットンの蓋２１がスピットン２７を覆う命令又は開放命令が、ユーザから入力されると、それに応じてコントローラ２９は駆動部Ｍ２を動作させて、スピットンの蓋２１がスピットン２７を覆うようにするか、またはスピットン２７を開放させる。
【００５１】
図４の（ａ）と（ｂ）は、患者がスピットン部を使用する場合を例示的に示した図である。すなわち、患者がスピットン部を使用する場合には、スピットンの蓋２１がスピットン２７を覆わない状態（すなわち、開放された状態）に維持することができる。
【００５２】
図４の（ｃ）と（ｄ）は、患者がスピットン部を使用しない場合を例示的に示した図である。すなわち、患者がスピットン部を使用しない場合には、スピットンの蓋２１がスピットン２７を覆う状態に維持することができる。
【００５３】
図４の実施の形態にかかる歯科用ユニットチェアに使用されるスピットン部は、また、殺菌モジュールＳＴＧ２をさらに含む。
【００５４】
一実施の形態によれば、殺菌モジュールＳＴＧ２は、スピットン２７を殺菌できる動作を行うことができる。例えば、殺菌モジュールＳＴＧ２は、次の動作のうち、少なくともいずれか一つの動作を行うように構成される。
ｉ）熱いスチームを生成し、スチームをスピットン２７に噴射して殺菌する動作
ｉｉ）温水（例えば６０度以上の水）をスピットン２７に噴射して殺菌する動作
ｉｉｉ）スピットン２７を殺菌させることができる化合物（例えば、消毒剤）をスピットン２７に噴射して殺菌する動作
ｉｖ）水を利用したスピットンを洗浄する動作
ｖ）スピットン２７に紫外線を照射して殺菌する動作
例えば、殺菌モジュールＳＴＧ２は、上記の各々の動作を行うように構成されるか、または、上記のｉ）ないしｖ）動作のうち、少なくとも一部を、順次及び/又は同時に遂行するように構成できる。
【００５５】
例えば、殺菌モジュールＳＴＧ２は、
ｉ）動作を行い、次にｉｉ）動作を行うように構成されるか、
ｉ）動作を行い、次にｉｉｉ）動作を行うように構成されるか、
ｉｉｉ）動作を行い、次にｉ）動作を行い、次にｉｖ）動作を行うように構成されるか、
ｉｉｉ）動作を行い、次にｉｖ）動作を行うように構成されるか、
ｉ）動作とｉｖ）動作を同時に行うように構成されることができる。
ｉ）ないしｉｖ）のうち、少なくともいずれか一つの動作を行い、ｖ）動作を行うことができる。
【００５６】
上記のような組み合わせは、例示的なものであって、他の方式により組み合わせることも当業者には可能である。
【００５７】
例えば、殺菌モジュールＳＴＧ２は、スチームを利用した殺菌及び洗浄装置、温水（例えば、６０度以上）の水を利用した殺菌及び洗浄装置、消毒剤を利用した殺菌及び洗浄装置、紫外線を利用した殺菌装置のうち、いずれか一つであるか、これらの装置の組み合わせにより構成されることができる。
【００５８】
本実施の形態において、殺菌モジュールＳＴＧ２は、本体２４の内部に装着されているが、例示に過ぎず、当業者であれば、他の所に装着することも可能である。
殺菌モジュールＳＴＧ２は、例えば、スピットンの蓋２１がスピットン２７を覆った状態（クローズ状態という）でスピットン２７を殺菌する。
【００５９】
また、殺菌モジュールＳＴＧ２は、例えば、スピットンの蓋２１がスピットン２７を覆わない状態（オープン状態という）では、スピットン２７を殺菌しない。
【００６０】
コントローラ２９は、例えば、クローズ状態では、殺菌モジュールＳＴＧ２がスピットン２７を殺菌するように制御し、オープン状態では、殺菌モジュールＳＴＧ２がスピットン２７を殺菌しないように制御できる。このような動作のために、コントローラ２９と殺菌モジュールＳＴＧ２との間の電子的及び／又は機械的に連結されることについての具体的な構成は、当業者なら実施の形態に合うように構成できるので省略する。
【００６１】
また、殺菌モジュールＳＴＧ２がスピットン２７を殺菌するための電子的及び／又は機械的に連結されることについての具体的な構成もやはり、当業者なら実施の形態に合うように構成できるので省略する。
【００６２】
殺菌モジュールＳＴＧ２は、従来に知られていたスチーム発生装置、熱い水を利用した殺菌装置、化合物を利用した殺菌装置、紫外線殺菌装置などを活用でき、本願出願以後に知られる装置もやはり活用できる。
【００６３】
以上、図４で説明しない構成要素は、図２または図４において類似の図面番号が付与された構成要素についての説明を参照してほしい。
【００６４】
図５は、本発明の他の実施の形態にかかる歯科用ユニットチェアに使用されるスピットン部を説明するための図である。
【００６５】
図５の（ａ）は、本発明の一実施の形態にかかる歯科用ユニットチェアに使用されるスピットン部においてスピットンの蓋３１がスピットン３７を覆った状態を上部から見た図であり、図５の（ｂ）は、図５の（ａ）の状態を側面から見た図であり、図５の（ｃ）は、本発明の一実施の形態にかかる歯科用ユニットチェアに使用されるスピットン部においてスピットンの蓋３１がスピットン３７を覆わないで開放されるように移動された状態を上部から見た図であり、図５の（ｄ）は、図５の（ｃ）の状態を側面から見た図である。
【００６６】
本発明の一実施の形態にかかる歯科用ユニットチェアに使用されるスピットン部は、本体３４、本体３４の上部に位置するスピットン、スピットンを覆うことができるスピットンの蓋３１、スピットンの蓋３１を移動させることができる移動ユニット、及びコントローラ３９を含む。
【００６７】
一実施の形態によれば、移動ユニットは、スピットンの蓋３１がスピットン３７を覆うように移動させるか、またはスピットン３７を覆わないように、つまりスピットン３７が開放されるように移動させることができる。
【００６８】
一実施の形態によれば、移動ユニットは、本体３４に位置する第１構造体３６、第１構造体３６に移動可能に結合されたガイドバー３８、及び駆動部Ｍ３を含むことができる。ここで、第１構造体３６は、例えばスピットンの蓋３１と直接連結または他の構造体を介して連結されることができる。
【００６９】
一方、本実施の形態での駆動部Ｍ３は、図４の実施の形態とは異なり、本体３４の内部に位置している。
【００７０】
例えば、駆動部Ｍ３は、モータのような装置を含むことができ、スピットンの蓋３１と機械的及び／又は電子的に連結されて、スピットンの蓋３１を移動させることができる。駆動部Ｍ３が動作すると、スピットンの蓋３１は、ガイドバー３８に沿って動けるようになる。
【００７１】
例えば、コントローラ３９は、図示していないが、ユーザから命令を受け取ることができる入力部を具備できる。
【００７２】
例えば、ユーザが、スピットンの蓋３１がスピットン３７を覆うか開放するかの命令を入力すると、コントローラ３９は、駆動部Ｍ３を動作させてスピットンの蓋３１がスピットン３７を覆うようにするか、またはスピットン３７を開放させる。
【００７３】
図５の（ａ）と（ｂ）は、患者がスピットン部を使用する場合を例示的に示した図である。すなわち、患者がスピットン部を使用する場合には、スピットンをスピットンの蓋が覆わない状態に維持されることができる。
【００７４】
図５の（ｃ）と（ｄ）は、患者がスピットン部を使用しない場合を例示的に示した図である。すなわち、患者がスピットン部を使用しない場合には、スピットンをスピットンの蓋が覆う状態に維持されることができる。
【００７５】
図５の実施の形態にかかる歯科用ユニットチェアに使用されるスピットン部は、また、殺菌モジュールＳＴＧ２をさらに含むことができる。一方、図５の殺菌モジュールＳＴＧ２は、本体３４の上部に位置してスピットンの蓋３１と共に移動できるという点において図４の殺菌モジュールＳＴＧ２とは差がある。
【００７６】
一実施の形態によれば、殺菌モジュールＳＴＧ２は、スピットン３７を殺菌できる。本実施の形態において、殺菌モジュールＳＴＧ２は、本体３４の内部に装着されているが、これは例示に過ぎず、当業者は、他の所に装着することも可能である。
【００７７】
殺菌モジュールＳＴＧ２は、例えば、スピットンの蓋３１がスピットン３７を覆った状態（クローズ状態）では、スピットン３７を殺菌するが、スピットンの蓋３１がスピットン３７を覆わない状態（オープン状態）では、スピットン３７を殺菌しないこともできる。
【００７８】
コントローラ３９は、例えば、クローズ状態では、殺菌モジュールＳＴＧ２がスピットン３７を殺菌するように制御し、オープン状態では、殺菌モジュールＳＴＧ２がスピットン３７を殺菌しないように制御できる。
【００７９】
コントローラ３９が殺菌モジュールＳＴＧ２を制御するために必要な電子的及び/又は機械的構成と、殺菌モジュールＳＴＧ２がスピットン３７を殺菌するために必要な電子的及び/又は機械的構成は、当業者が実施の形態に合うように構成できるから、省略する。
【００８０】
以上、図５で説明しない構成要素は、前述の図面で類似の図面番号が付与された構成要素についての説明を参照してほしい。
【００８１】
図６ないし図２０は、本発明の他の実施の形態にかかる歯科用ユニットチェアに使用されるスピットン部を説明するための図である。
【００８２】
図６は、一実施の形態にかかる歯科用ユニットチェアに使用されるスピットン部の外観を例示的に示した図であり、図７、図９、図１１は、図６のスピットン部がオープン状態にあることを示した図であり、図８、図１０は、図６のスピットン部がクローズ状態にあることを示した図であり、また、図１２は、クローズ状態で図６のスピットン部の一断面を示した図であり、図１３は、オープン状態で図６のスピットン部の一断面を示した図であり、また、図１４は、クローズ状態で図６のスピットン部から見た透明斜視図で、図１５は、オープン状態で図６のスピットン部から見た透明斜視図であり、図１６は、クローズ状態で図６のスピットン部からスピットンの蓋４１を除去した状態で見た斜視図で、図１７は、オープン状態で図６のスピットン部からスピットンの蓋４１を除去した状態で見た斜視図で、図１８は、クローズ状態で図６のスピットン部からスピットンの蓋４１を除去した状態で見た平面図で、図１９は、オープン状態で図６のスピットン部からスピットンの蓋４１を除去した状態で見た平面図で、図２０は、オープン状態でスピットンの蓋４１と構造体Ｐ２を除去した状態で見た透明斜視図である。
【００８３】
これらの図は、本発明の他の実施の形態にかかる歯科用ユニットチェアに使用されるスピットン部の説明の目的のために互いに異なる側面から見たことを示した図であり、以下、これらの図を共に参照して、一実施の形態にかかる歯科用ユニットチェアに使用されるスピットン部を説明する。
【００８４】
図６ないし図２０を参照すると、一実施の形態にかかる歯科用ユニットチェアに使用されるスピットン部４０は、本体４４、本体４４に位置するスピットン４７、スピットン４７を覆うことができるスピットンの蓋４１、排出口４３、スピットンの蓋４１を移動させることができる移動ユニット、及びコントローラ４９を含むことができる。
【００８５】
一実施の形態によれば、移動ユニットは、スピットンの蓋４１がスピットン４７を覆うように移動させるか、またはスピットン４７を覆わないで開放されるように移動させる構成を有する。
【００８６】
一実施の形態によれば、移動ユニットは、第１構造体４６、ガイドバー４８、第２構造体Ｐ４、第３構造体Ｐ２、第４構造体Ｐ１、及び第５構造体Ｐ３を含むことができる。
【００８７】
第１構造体４６は、ガイドバー４８と機械的に結合されており、第２構造体Ｐ４は、本体４４に結合されており、第４構造体Ｐ１は、排出口４３を第３構造体Ｐ２に固定させ、第５構造体Ｐ３は、ガイドバー４８を第３構造体Ｐ３に固定させることができる。一方、第３構造体Ｐ２は、スピットンの蓋４１と機械的に連結されている。
【００８８】
図６ないし図２０を参照して説明する本実施の形態において、図示していない構成要素及び説明しない構成要素は、本願発明の要旨を不明にする恐れがあるから説明しなかったことを本願発明が属する技術分野に属する者であれば、容易に理解できるだろう。一方、本体４４の内部に電子的及び機械的装置が内蔵されているが、これらの構成要素もやはり、本願発明の要旨を不明にする恐れがあるから説明しなかったことを本願発明が属する技術分野に属する者であれば、容易に理解できるだろう。一方、本願の他の図においても、別に言及がなくても、図示していない構成要素及び説明しない構成要素は、本願発明の要旨を不明にする恐れがあるから説明しなかったことを本願発明が属する技術分野に属する者であれば、容易に理解できるだろう。
【００８９】
また、図６ないし図２０を参照して説明する本実施の形態は、殺菌モジュールに対して言及しなかったが、上述の殺菌モジュールをさらに含むように構成されることが可能である。このような場合、殺菌モジュールは、例えば、本体４４の内部またはスピットンの蓋４１の内部に位置されることができる。
【００９０】
また、図６ないし図２０を参照して説明する本実施の形態は、モータのような駆動部について言及しなかったが、駆動部をさらに含むように構成されることが可能である。このような場合、駆動部は、例えば、本体４４の内部またはスピットンの蓋４１の内部に位置されることができる。
【００９１】
図２１と図２２は、本発明の他の実施の形態にかかる歯科用ユニットチェアに使用されるスピットン部を説明するための図である。
【００９２】
図２１と図２２を参照すると、本実施の形態にかかるスピットン部は、本体５４、本体５４に位置するスピットン５７、スピットン５７を覆うことができるスピットンの蓋５１、及び排出口５３を含むことができる。
【００９３】
本実施の形態にかかるスピットン部は、前述の実施の形態と異なり、スピットン５７が移動される構造を有する。例えば、図２１と図２２の実施の形態では、スピットン５７が本体５４の内部に実装されるが、使用時には、外部に露出されるように構成される。
【００９４】
スピットン５７が本体５４の内部に実装された状態で、殺菌モジュール（図示せず）により殺菌されうる。
【００９５】
本実施の形態にかかるスピットン部は、スピットン５７を移動させることができる移動ユニット（図示せず）をさらに含み、移動ユニットは、スピットン５７を本体５４の内部に実装させるが、外部に露出されるような構成を有する。
【００９６】
図２３と図２４は、本発明の他の実施の形態にかかる歯科用ユニットチェアに使用されるスピットン部を説明するための図である。
【００９７】
図２３と図２４を参照すると、本実施の形態にかかるスピットン部は、移動型本体６４、固定型本体Ｂ、移動型本体６４にかけて位置するスピットン６７、スピットン６７を覆うことができるスピットンの蓋６１、及び排出口６３を含むことができる。
【００９８】
スピットンの蓋６１は、移動型本体６４と固定型本体Ｂにかけて位置される。
【００９９】
移動型本体６４には、輪Ｗが備えられていることができ、移動型本体６４が固定型本体Ｂと遠ざかる方向へ移動すると、スピットン５７がオープン状態になる。一方、移動型本体６４が固定型本体Ｂと密着すると、スピットン５７は、クローズ状態になる。
【０１００】
図２３と図２４を参照して説明した本実施の形態にかかるスピットン部は、前述の実施の形態と異なり、本体が移動する構造を有する。例えば、図２３と図２４の実施の形態において、スピットン６７が実装された移動型本体６４が固定型本体Ｂと遠ざかると、スピットン６７は、オープン状態になる。
【０１０１】
移動型本体６４が固定型本体Ｂと密着した状態で、殺菌モジュール（図示せず）により殺菌されることができる。
【０１０２】
図２５と図２６は、本発明の他の実施の形態にかかる歯科用ユニットチェアに使用されるスピットン部を説明するための図である。
【０１０３】
図２５と図２６を参照すると、本実施の形態にかかるスピットン部は、本体７４、殺菌モジュール、本体７４にかけて位置するスピットン７７、スピットン７７を覆うことができるスピットンの蓋７１、及び排出口６３を含むことができる。
【０１０４】
本実施の形態では、スピットン７７と殺菌モジュールは、それぞれ図２５と図２６のように移動可能である。スピットン７７が使用されない間には、図２６のように殺菌モジュールがスピットン７７を覆って殺菌動作を行い、スピットン７７が使用される間には、図２５のように殺菌モジュールがスピットン７７を覆わないように移動される。
【０１０５】
図２７は、本発明の他の実施の形態にかかる歯科用ユニットチェアに使用されるスピットン部を殺菌するための移動型殺菌装置を説明するための図である。
【０１０６】
図２７を参照すると、本実施の形態にかかる移動型殺菌装置は、殺菌モジュールＳＴＧ４とノズルとスピットンの蓋８１を含み、ノズルは、紫外線ランプとスチームを噴霧できるスチーム噴射口のうち、少なくとも一つを含む。図示していないが、殺菌モジュールＳＴＧ４には、紫外線を照射できる装置と、スチームを生成してスチーム噴射口を介して噴霧できる装置が内蔵されていることができる。
【０１０７】
図２８は、本発明の他の実施の形態にかかる歯科用ユニットチェアに使用されるスピットン部を殺菌するための移動型殺菌装置を説明するための図である。
【０１０８】
図２８を参照すると、本実施の形態にかかる移動型殺菌装置は、スチーム発生部とノズルＮとスピットンの蓋９１を含み、ノズルは、スチームを噴霧できるスチーム噴射口を有する。
【０１０９】
スピットンの蓋９１は、ノズルに固定または脱着可能に装着される。
【０１１０】
図示していないが、スチーム発生部には、ノズルを介してスチームを噴射できる装置が内蔵されていることができる。
【０１１１】
図２９は、本発明の他の実施の形態にかかる歯科用ユニットチェアに使用されるスピットン部を説明するための図である。
【０１１２】
図２９を参照すると、本発明の他の実施の形態にかかる歯科用ユニットチェアに使用されるスピットン１０７には、スチームを噴射できる噴射口が装着されている。このような噴射口は、スピットン１０７の一側部に位置して、スピットンの蓋１０１がスピットン１０７を覆っている時にスチームを噴射できる。噴射口により噴射されるスチームを生成する装置は、図示していないが、スピットン１０７が位置する本体の内部に装着されるか、または本体とは別に装着されることができる。
【０１１３】
以上のように、図２ないし図２９を参照して説明した本発明の実施の形態にかかる歯科用ユニットチェアに使用されるスピットン部を多様なタイプの歯科用ユニットチェアに適用することができる。例えば、図１にて説明したように、ユニットチェアとスピットン部が共に動くタイプ、またはスピットン部が固定されてユニットチェアとは無関係に動くタイプに適用されることができる。
【０１１４】
このように本発明は、記載された実施の形態に限定されるものではなく、本発明の思想及び範囲から逸脱しない範囲内で多様に修正及び変形できることは、この技術の分野における通常の知識を有した者にとって自明である。したがって、そういう修正例または変形例は、本発明の特許請求の範囲に属すると解釈されねばならないであろう。
【図１】
2017522093.tif 000003
【図２】
2017522093.tif 000004
【図３】
2017522093.tif 000005
【図４】
2017522093.tif 000006
【図５】
2017522093.tif 000007
【図６】
2017522093.tif 000008
【図７】
2017522093.tif 000009
【図８】
2017522093.tif 000010
【図９】
2017522093.tif 000011
【図１０】
2017522093.tif 000012
【図１１】
2017522093.tif 000013
【図１２】
2017522093.tif 000014
【図１３】
2017522093.tif 000015
【図１４】
2017522093.tif 000016
【図１５】
2017522093.tif 000017
【図１６】
2017522093.tif 000018
【図１７】
2017522093.tif 000019
【図１８】
2017522093.tif 000020
【図１９】
2017522093.tif 000021
【図２０】
2017522093.tif 000022
【図２１】
2017522093.tif 000023
【図２２】
2017522093.tif 000024
【図２３】
2017522093.tif 000025
【図２４】
2017522093.tif 000026
【図２５】
2017522093.tif 000027
【図２６】
2017522093.tif 000028
【図２７】
2017522093.tif 000029
【図２８】
2017522093.tif 000030
【図２９】
2017522093.tif 000031
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
歯科用ユニットチェアに使用されるスピットン部であって、
本体と、
本体の上部に位置するスピットンと、
前記スピットンを覆うことができるスピットンの蓋と、
前記スピットンの蓋を移動させることができる移動ユニットとを含み、
前記移動ユニットは、前記スピットンの蓋が前記スピットンを覆うように移動させるか、または前記スピットンを覆わないで開放されるように移動させることを特徴とする歯科用ユニットチェアに使用されるスピットン部。
【請求項２】
前記移動ユニットは、
前記本体に位置するヒンジを含み、
前記スピットンの蓋は、前記ヒンジと連結され、前記スピットンの蓋が前記ヒンジを軸にして回転することによって、前記スピットンを覆うか、または前記スピットンを覆わないことを特徴とする、請求項１に記載の歯科用ユニットチェアに使用されるスピットン部。
【請求項３】
前記移動ユニットは、
第１構造体と、
前記第１構造体に移動可能に結合されたガイドバーとを含み、
前記ガイドバーは、前記スピットンの蓋と直接連結または他の構造体を介して連結されることを特徴とする、請求項１に記載の歯科用ユニットチェアに使用されるスピットン部。
【請求項４】
前記移動ユニットは、駆動部をさらに含み、
前記スピットンの蓋は、前記駆動部により移動することを特徴とする、請求項３に記載の歯科用ユニットチェアに使用されるスピットン部。
【請求項５】
前記移動ユニットは、
前記本体に結合された第２構造体をさらに含み、
前記第２構造体に前記第１構造体が結合されていることを特徴とする、請求項３に記載の歯科用ユニットチェアに使用されるスピットン部。
【請求項６】
前記移動ユニットは、前記ガイドバーと連結した第３構造体をさらに含み、
前記第３構造体は、前記スピットンの蓋と直接または他の構造体を介して連結されたことを特徴とする、請求項５に記載の歯科用ユニットチェアに使用されるスピットン部。
【請求項７】
前記スピットン部は、殺菌モジュールをさらに含み、
前記殺菌モジュールは、前記スピットンの蓋が前記スピットンを覆う時に前記スピットンの殺菌及び洗浄のいずれかの一方を行い、前記スピットンの蓋が前記スピットンを覆わない時には、前記スピットンの殺菌及び洗浄のいずれかの一方を行わないことを特徴とする、請求項６に記載の歯科用ユニットチェアに使用されるスピットン部。
【請求項８】
前記殺菌モジュールは、前記本体に位置されているか、または
前記殺菌モジュールは、前記スピットンの蓋の内部に位置されて、前記スピットンの蓋が移動すると、共に移動することを特徴とする、請求項７に記載の歯科用ユニットチェアに使用されるスピットン部。
【請求項９】
前記殺菌モジュールは、
スチームを利用した殺菌及び洗浄装置、温水を利用した殺菌及び洗浄装置、消毒剤を利用した殺菌及び洗浄装置、又は紫外線を利用した殺菌装置のうちいずれか一つであるか、これらの装置のうち、二つ以上の組み合わせから構成されたことを特徴とする、請求項７に記載の歯科用ユニットチェアに使用されるスピットン部。
【請求項１０】
歯科用ユニットチェアであって、歯科用ユニットチェアに使用されるスピットン部を含み、
前記歯科用ユニットチェアに使用されるスピットン部は、
本体と、本体の上部に位置するスピットンと、前記スピットンを覆うことができるスピットンの蓋と、前記スピットンの蓋を移動させることができる移動ユニットとを含み、
前記移動ユニットは、
前記スピットンの蓋が前記スピットンを覆うように移動させるか、または前記スピットンを覆わないで開放されるように移動させることを特徴とする歯科用ユニットチェア。
【請求項１１】
前記移動ユニットは、前記本体に位置するヒンジを含み、
前記スピットンの蓋は、
前記ヒンジと連結され、前記スピットンの蓋が前記ヒンジを軸にして回転することによって、前記スピットンを覆うか、または前記スピットンを覆わないことを特徴とする、請求項１０に記載の歯科用ユニットチェア。
【請求項１２】
前記移動ユニットは、第１構造体と、前記第１構造体に移動可能に結合されたガイドバーとを含み、
前記第１構造体は、前記スピットンの蓋と直接連結または他の構造体を介して連結されたことを特徴とする、請求項１０に記載の歯科用ユニットチェア。
【請求項１３】
前記移動ユニットは、駆動部をさらに含み、
前記スピットンの蓋は、前記駆動部により移動されることを特徴とする、請求項１２に記載の歯科用ユニットチェア。
【請求項１４】
コントローラをさらに含み、
前記コントローラは、ユーザから命令を受け取ることができる入力部を具備し、
前記入力部を介してユーザからの、前記スピットンの蓋を覆う命令又は覆わない命令を受けると、前記コントローラは、前記駆動部を制御して前記スピットンの蓋を動かせることを特徴とする、請求項１３に記載の歯科用ユニットチェア。
【請求項１５】
前記移動ユニットは、
前記本体に結合された第２構造体をさらに含み、
前記第２支持体に前記第１構造体が結合されていることを特徴とする、請求項１２に記載の歯科用ユニットチェア。
【請求項１６】
前記移動ユニットは、前記ガイドバーと連結した第３構造体をさらに含み、
前記第３構造体は、前記スピットンの蓋と連結されたことを特徴とする、請求項１５に記載の歯科用ユニットチェア。
【請求項１７】
前記スピットン部は、殺菌モジュールをさらに含み、
前記殺菌モジュールは、前記スピットンの蓋が前記スピットンを覆う時に前記スピットンの殺菌及び洗浄のいずれかの一方を行い、
前記スピットンの蓋が前記スピットンを覆わない時には、前記スピットンの殺菌及び洗浄のいずれかの一方を行わないことを特徴とする、請求項１６に記載の歯科用ユニットチェア。
【請求項１８】
前記殺菌モジュールは、前記本体に位置し、
または、前記殺菌モジュールは、前記スピットンの蓋の内部に位置して、前記スピットンの蓋が移動すると、共に移動することを特徴とする、
請求項１７に記載の歯科用ユニットチェア。
【請求項１９】
前記殺菌モジュールは、スチームを利用した殺菌及び洗浄装置、温水を利用した殺菌及び洗浄装置、消毒剤を利用した殺菌及び洗浄装置、又は紫外線を利用した殺菌装置のうちいずれか一つであるか、これらの装置のうち二つ以上の組み合わせから構成されたことを特徴とする、請求項１７に記載の歯科用ユニットチェア。
【手続補正２】
【補正対象書類名】明細書
【補正対象項目名】００４０
【補正方法】変更
【補正の内容】
【００４０】
図３に示すように、スピットンの蓋１１が半時計方向に所定角度回転されると、スピッ
トン１７を覆うようになる。本実施の形態において半時計方向は、例示的なものであ
って、他の方向（例えば、時計方向）にスピットンの蓋１１が回転するように構成される
ことも可能である。
【手続補正３】
【補正対象書類名】明細書
【補正対象項目名】００７５
【補正方法】変更
【補正の内容】
【００７５】
図５の実施の形態にかかる歯科用ユニットチェアに使用されるスピットン部は、また、
殺菌モジュールＳＴＧ３をさらに含むことができる。一方、図５の殺菌モジュールＳＴＧ
３は、本体３４の上部に位置してスピットンの蓋３１と共に移動できるという点において
図４の殺菌モジュールＳＴＧ３とは差がある。
【手続補正４】
【補正対象書類名】明細書
【補正対象項目名】００７６
【補正方法】変更
【補正の内容】
【００７６】
一実施の形態によれば、殺菌モジュールＳＴＧ３は、スピットン３７を殺菌できる。本
実施の形態において、殺菌モジュールＳＴＧ３は、スピットンの蓋３１の内部に装着されているが、これは例示に過ぎず、当業者は、他の所に装着することも可能である。
【手続補正５】
【補正対象書類名】明細書
【補正対象項目名】００７７
【補正方法】変更
【補正の内容】
【００７７】
殺菌モジュールＳＴＧ３は、例えば、スピットンの蓋３１がスピットン３７を覆った状
態（クローズ状態）では、スピットン３７を殺菌するが、スピットンの蓋３１がスピット
ン３７を覆わない状態（オープン状態）では、スピットン３７を殺菌しないこともできる。
【手続補正６】
【補正対象書類名】明細書
【補正対象項目名】００７８
【補正方法】変更
【補正の内容】
【００７８】
コントローラ３９は、例えば、クローズ状態では、殺菌モジュールＳＴＧ３がスピット
ン３７を殺菌するように制御し、オープン状態では、殺菌モジュールＳＴＧ３がスピット
ン３７を殺菌しないように制御できる。
【手続補正７】
【補正対象書類名】明細書
【補正対象項目名】００７９
【補正方法】変更
【補正の内容】
【００７９】
コントローラ３９が殺菌モジュールＳＴＧ３を制御するために必要な電子的及び/又は
機械的構成と、殺菌モジュールＳＴＧ３がスピットン３７を殺菌するために必要な電子的
及び/又は機械的構成は、当業者が実施の形態に合うように構成できるから、省略する。
【手続補正８】
【補正対象書類名】明細書
【補正対象項目名】００９９
【補正方法】変更
【補正の内容】
【００９９】
移動型本体６４には、輪Ｗが備えられていることができ、移動型本体６４が固定型本体
Ｂと遠ざかる方向へ移動すると、スピットン６７がオープン状態になる。一方、移動型本
体６４が固定型本体Ｂと密着すると、スピットン６７は、クローズ状態になる。
【手続補正９】
【補正対象書類名】明細書
【補正対象項目名】０１０３
【補正方法】変更
【補正の内容】
【０１０３】
図２５と図２６を参照すると、本実施の形態にかかるスピットン部は、本体７４、殺菌
モジュール、本体７４にかけて位置するスピットン７７、スピットン７７を覆うことがで
きるスピットンの蓋７１、及び排出口７３を含むことができる。
【手続補正１０】
【補正対象書類名】図面
【補正対象項目名】図４
【補正方法】変更
【補正の内容】
【図４】
2017522093.tif 000032
【手続補正１１】
【補正対象書類名】図面
【補正対象項目名】図５
【補正方法】変更
【補正の内容】
【図５】
2017522093.tif 000033
【国際調査報告】
2017522093.tif 000034
2017522093.tif 000035
2017522093.tif 000036
2017522093.tif 000037